(57)【要約】【課題】  入力画像データに応じて光量を調光する際に、駆動モーターの駆動回数を抑えつつ、シーンチェンジの際の表示画像の違和感を軽減する画像表示装置を提供すること。【解決手段】  複数の画像フレームからなるシーンの明るさを示すシーン輝度情報を検出するシーン輝度検出部と、光源の光量を遮光する遮光部材を制御することにより光源の光量を調光する調光部と、調光部の調光量を制御する光量制御部を有し、前記シーン輝度検出部の検出するシーン輝度情報は、画像信号の信号レベルの変化よりも更新頻度が少なく、前記光量制御部は、シーン輝度検出部の検出するシーン輝度情報に基づいて調光量を制御することを特徴とする。【選択図】  図１
2020197554.tif 000002
【特許請求の範囲】
【請求項１】
画像信号に応じて光量を制御する画像表示装置であって、
複数の画像フレームからなるシーンの明るさを示すシーン輝度情報を検出するシーン輝度検出部と、
光源の光量を遮光する遮光部材を制御することにより光源の光量を調光する調光部と、
調光部の調光量を制御する光量制御部を有し、
前記シーン輝度検出部の検出するシーン輝度情報は、画像信号の信号レベルの変化よりも変化回数が少なく、
前記光量制御部は、シーン輝度検出部の検出するシーン輝度情報に基づいて調光量を制御することを特徴とする画像表示装置。
【請求項２】
画像信号に応じて光量を制御する画像表示装置であって、
画像信号の信号レベルから画像データの明るさを示す輝度情報を検出する画像検出部と、
画像検出部の検出した輝度情報からシーンの変化を判定しシーン変化後の輝度情報をシーン輝度情報として検出するシーン輝度検出部と、
光源の光量を遮光する遮光部材を制御することにより光源の光量を調光する調光部と、
調光部の調光量を制御する光量制御部を有し、
前記シーン輝度検出部の検出するシーン輝度情報は、画像信号の信号レベルの変化よりも変化回数が少なく、
前記光量制御部は、シーン輝度検出部の検出するシーン輝度情報に基づいて調光量を制御することを特徴とする画像表示装置。
【請求項３】
画像信号に応じて光量を制御する画像表示装置であって、
画像信号の信号レベルから画像データの明るさを示す輝度情報を検出する画像検出部と、
複数の画像フレームからなるシーンの明るさを示すシーン輝度情報を検出するシーン輝度検出部と、
光源の光量を遮光する遮光部材を制御することにより光源の光量を調光する調光部と、
調光部の調光量を制御する光量制御部を有し、
前記シーン輝度検出部の検出するシーン輝度情報は、前記画像検出部の検出する輝度情報の変化よりも変化回数が少なく、
前記光量制御部は、シーン輝度検出部の検出するシーン輝度情報に基づいて調光量を制御し、シーン輝度検出部の検出するシーン輝度情報と画像検出部の検出する輝度情報の差分を補うように光源の光量を制御することを特徴とする画像表示装置。
【発明の詳細な説明】
【技術分野】
【０００１】
本発明は、画像表示装置に関し、特にプロジェクタ等の投射型表示装置に関する。
【背景技術】
【０００２】
従来、投射型表示装置に関し、表示コントラストを向上するため入力された画像データに応じて光量を調整する技術が提案されている。
【０００３】
特許文献１には、入力画像データに応じて光源である発光管の光量、及び、光源から照射される光を絞る光学絞りを制御し光量を調整する技術が開示されている。
【０００４】
また、特許文献２には、入力画像データに応じて光量を絞る可変絞りを制御すると共に、画像が動画であるか、静止画であるかを判別し判別結果に応じて可変絞りの絞り量を調整する技術が開示されている。
【先行技術文献】
【特許文献】
【０００５】
【特許文献１】特許第４２３８７６５号公報
【特許文献２】特許第５５１２４８４号公報
【発明の概要】
【発明が解決しようとする課題】
【０００６】
特許文献１に開示された従来技術では、入力画像データのフレーム毎に輝度情報を検出し、検出した輝度情報に基づいて光学絞りを駆動する駆動モーター（ステッピングモーター）を制御する。入力画像データが輝度変動の多い動画である場合、検出する輝度情報の変化が多くなる。検出した輝度情報に可能な限り速く追従しようとして光学絞りを速く駆動すると、駆動モーターの駆動頻度が多くなってしまう。しかし、ステッピングモーターなどの駆動モーターには寿命があり、駆動モーターの設計寿命を超えないように駆動頻度を抑える必要がある。反対に、駆動モーターの駆動頻度を減らすように駆動モーターをゆっくり動かすと、例えば、入力画像が暗いシーンから明るいシーンに変化する場合に光学絞りによる光量の調光が遅れることになるので、表示画像に違和感が生じてしまうという問題がある。
【０００７】
また、特許文献２に記載の従来技術のように、入力画像データが静止画である時は動画であるときよりも絞り量を多くし暗く制御すると、静止画と動画で表示される明るさが異なってしまうという問題があった。
【０００８】
そこで、本発明は、入力画像データに応じて光量を調光する際に、駆動モーターの駆動回数を抑えつつ、シーンチェンジの際の表示画像の違和感を軽減する画像表示装置を提供することを目的とする。
【課題を解決するための手段】
【０００９】
上記の目的を達成するために、本発明に係る画像表示装置は、
画像信号の明るさに応じて光量を制御する画像表示装置であって、
複数の画像フレームからなるシーンの明るさを示すシーン輝度情報を検出するシーン輝度検出部と、
光源の光量を遮光する遮光部材を制御することにより光源の光量を調光する調光部と、
調光部の調光量を制御する光量制御部を有し、
前記シーン輝度検出部の検出するシーン輝度情報は、画像信号の信号レベルの変化よりも更新頻度が少なく、
前記光量制御部は、シーン輝度検出部の検出するシーン輝度情報に基づいて調光量を制御することを特徴とする。
【発明の効果】
【００１０】
本発明に係る画像表示装置によれば、入力画像データに応じて光量を調光する際に、駆動モーターの駆動回数を抑えつつ、シーンチェンジの際の表示画像の違和感を軽減することができる。
【図面の簡単な説明】
【００１１】
【図１】実施例１及び実施例２に係る画像処理装置の一例を示すブロック図
【図２】実施例１及び実施例２に係る検出輝度値と光量制御値の関係を示す模式図
【図３】実施例１及び実施例２に係る光量制御値と出力光量の関係を示す模式図
【図４】実施例１及び実施例２に係る光量制御値とゲイン値の関係を示す模式図
【図５】実施例１及び実施例２に係るフレーム平均輝度の時間推移を示す模式図
【図６】実施例１及び実施例２に係るシーン平均輝度の時間推移を示す模式図
【図７】実施例１及び実施例２に係る光量制御値の時間推移を示す模式図
【図８】実施例１及び実施例２に係る光源部の時間推移を示す模式図
【発明を実施するための形態】
【００１２】
以下、本発明を実施するための形態について、図面を参照しながら詳細に説明する。
【実施例１】
【００１３】
・構成の説明
図１は、本発明の実施形態に係る画像処理装置の一例である。
【００１４】
図１において、本実施形態は、画像信号入力部１０１、フレーム輝度検出部１０２、シーン輝度検出部１０３、光量制御部１０４、光源部１０５、調光部１０６、補正量制御部１０７、画像信号補正部１０８、表示パネル部１０９、投射レンズ部１１０とスクリーン１１１から構成される。
【００１５】
画像信号入力部１０１は、例えば、ＨＤＭＩ（登録商標）（High-Definition Multimedia Interface）、ＤＶＩ（Digital Visual Interface）、ＤｉｓｐｌａｙＰｏｒｔなどの画像信号の入力端子である。画像信号入力部１０１は、パーソナルコンピュータやビデオプレイヤーなどの画像信号出力機器と接続される。画像信号入力部１０１は、画像信号出力機器が出力する画像信号と、画像信号に付随するメタデータを受信する。メタデータは、例えば、画像信号の複数のフレームから成るシーンの輝度情報（シーンの平均輝度やシーンの最大輝度）を含む。昼や屋外などの明るい映像シーンの場合、シーン平均輝度は大きな値となり、夜や室内などの暗い映像シーンの場合、シーン平均輝度は小さな値となる。シーン輝度情報は、画像信号のシーンの切替時に更新される。画像信号入力部１０１は、受信したメタデータをシーン輝度検出部１０３に出力する。また、画像信号をフレーム輝度検出部１０２と画像信号補正部１０８に出力する。
【００１６】
フレーム輝度検出部１０２は、画像信号入力部１０１が出力する画像信号の輝度レベルを検出する。画像信号検出部１０２は、例えば、画像信号の１フレーム毎に平均輝度：ＡＰＬ（Average Picture Level）を検出する。フレーム平均輝度は、画像信号の当該フレームの輝度レベルの平均値であり、画像信号が明るい場合は輝度レベルが高くなるので大きな値となり、画像信号が暗い場合は輝度レベルが低くなるので小さな値となる。フレーム輝度検出部１０２は、検出したフレーム平均輝度を光量制御部１０４に出力する。なお、本実施形態におけるフレーム輝度検出部１０２は輝度レベルの平均値を検出するが、信号レベルの分布を示すヒストグラムから画像フレームの輝度を検出するようにしても良い。
【００１７】
シーン輝度検出部１０３は、受信したメタデータからシーンの平均輝度を示すシーン平均輝度を検出し検出したシーン平均輝度を光量制御部１０４に出力する。
【００１８】
光量制御部１０４は、シーン輝度検出部１０３が検出したシーン平均輝度、又は、フレーム輝度検出部１０２が検出したフレーム平均輝度である検出輝度値に基づいて光量の調整量である光量制御値を決定する。図２は、検出輝度値と光量制御値の関係を示す模式図である。図２の横軸は検出輝度値を示し、縦軸は光量制御値を示している。図２において、検出輝度値が低い場合、すなわち、画像信号のレベルが低く暗い画像である場合、光量制御値は小さい値となる。検出輝度値が高い場合、すなわち、画像信号レベルが高く明るい画像である場合、光量制御値は大きい値となる。光量制御部１０４は、決定した光量制御値を調光部１０６に出力する。
【００１９】
光源部１０５は、高圧水銀ランプ、ハロゲンランプ、メタルハライドランプなどのランプ、ＬＥＤ（Light Emitting Diode）、又は、半導体レーザーなどの発光体を含み調光部１０６に光を照射する。
【００２０】
調光部１０６は、光量制御部１０４が出力する光量制御値に基づいて光量を調光する。調光部１０６は、絞り、又は、シャッターなどの光学部材（遮光部材）とモーターなどの駆動部から構成される。調光部１０６は、光量制御値に基づきモーターを駆動し光学部材を開閉・移動することで光源部１０５が出力する光の遮光量を調整する。調光部１０６で調光した光は表示パネル部１０９に照射される。
【００２１】
図３は、光量制御値と出力光量の関係を示す模式図である。図３の横軸は光量制御値を示し、縦軸は調光部１０６から出力される光量を示している。
【００２２】
図３において、調光部１０６は、光量制御値が大きい場合は遮光量を小さく制御し調光部１０６から出力される光量を多くする。また、光量制御値が小さい場合は遮光量を大きく制御し調光部１０６から出力される光量を少なくする。なお、本実施形態では、光源部１０５が照射する光量を調光部１０６が調光することで光量の制御を行うが、調光部１０６は表示パネル部１０９と投射レンズ部１１０の間、あるいは、投射レンズ部１１０の内部に位置するようにしても良い。また、光源部１０５が出力光量を調整可能である場合には、光量制御値に応じて光源部１０５の光量を調光するようにしても良い。補正量制御部１０７は、画像信号補正部１０８において画像信号を補正する際の補正量を制御する。本実施形態において補正量はゲイン値であるとして説明するが、補正量は画像信号のレベル（明るさ）を補正する量であれば良く例えばガンマ補正量であっても良い。
【００２３】
図４は、光量制御部１０４が出力する光量制御値とゲイン値の関係を示す模式図である。図４の横軸は光量制御値を示し、縦軸はゲイン値を示している。
【００２４】
光量制御値が小さい場合は、調光部１０６によって光量が少なく調光されるため表示パネル部１０９に照射される光量が少なくなる。そのため、図４において、光量制御値が小さい時は、表示パネル部１０９に照射される光量の低下による明るさの減少を補うように画像信号の補正量であるゲイン値を大きくする。反対に、光量制御値が大きい時は表示パネル部１０９に照射される光量が多いのでゲイン値を小さくする。補正量制御部１０７は補正量であるゲイン値を画像信号補正部１０８に出力する。
【００２５】
画像信号補正部１０８は、画像信号のレベルを補正する画像処理ブロックである。画像信号補正部１０８は、例えば、補正量制御部１０７が決定したゲイン値を画像信号に対し乗算することで画像信号を補正する。画像信号補正部１０８は、補正した画像信号を表示パネル部１０９に出力する。
【００２６】
表示パネル部１０９は、液晶パネルやＤＭＤ（デジタルミラーデバイス）などの多数の画素を有する光変調デバイスを含む。表示パネル部１０９は、画像信号補正部１０８が補正した画像信号のレベルに応じて調光部１０６から出力される照明光を変調し、変調した光を投射レンズ部１１０に出力する。
【００２７】
投射レンズ部１１０は、投射レンズなどで構成されており、表示パネル部１０９で変調された光をスクリーン１１１に投射するとともにフォーカス制御やズーム制御などを行う。
【００２８】
・動作例
以下、本実施形態における画像処理装置の光量制御の動作例を説明する。動作の一例として、画像信号入力部１０１に入力される画像データのフレーム平均輝度の時間変化を図５、画像信号入力部１０１に入力される輝度情報のシーン平均輝度の時間変化を図６に示す。時刻ｔ０から時刻ｔ３までの期間は、暗いシーンであり、時刻ｔ４以降の期間は明るいシーンであるとする。
【００２９】
時刻ｔ０において、図５に示すように、フレーム輝度検出部１０２は入力画像データからフレーム平均輝度Ａ１を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、暗いシーンである時刻ｔ０において、光量制御値は低い値Ｃ１となり光量を下げるように制御する。
【００３０】
次の画像フレームが入力されると時刻ｔ１において、図５に示すように、フレーム輝度検出部１０２は入力画像データからフレーム平均輝度Ａ２を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、時刻ｔ１において、フレーム平均輝度はＡ１からＡ２に上昇するが、光量制御値は時刻ｔ０の時の光量制御値と同じく低い値Ｃ１となり光量を下げたままとし調光部１０６の駆動モーターを制御しない。
【００３１】
次の画像フレームが入力されると時刻ｔ２において、図５に示すように、フレーム輝度検出部１０２は入力画像データからフレーム平均輝度Ａ１を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、時刻ｔ２において、フレーム平均輝度はＡ２からＡ１に下降するが、光量制御値は時刻ｔ０の時の光量制御値と同じく低い値Ｃ１となり光量を下げたままとし調光部１０６の駆動モーターを制御しない。
【００３２】
次の画像フレームが入力されると時刻ｔ３において、図５に示すように、フレーム輝度検出部１０２は入力画像データからフレーム平均輝度Ａ２を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、時刻ｔ３において、フレーム平均輝度はＡ１からＡ２に上昇するが、光量制御値は時刻ｔ０の時の光量制御値と同じく低い値Ｃ１となり光量を下げたままとし調光部１０６の駆動モーターを制御しない。
【００３３】
次の画像フレームが入力されると時刻ｔ４において、図５に示すように、フレーム輝度検出部１０２は入力画像データからフレーム平均輝度Ａ３を検出する。また、図６に示すように、シーン輝度検出部１０３はシーン平均輝度Ｂ２を検出する。シーン平均輝度がＢ２であるので、図２に示すように光量制御部１０４は光量制御値Ｃ２を決定する。すなわち、時刻ｔ４において入力画像は暗いシーンから明るいシーンに変化しフレーム平均輝度はＡ２からＡ３に上昇する。そのため、光量制御値は高い値Ｃ２に変化し光量を上げるように調光部１０６の駆動モーターを制御する。
【００３４】
次の画像フレームが入力されると時刻ｔ５において、図５に示すように、フレーム輝度検出部１０２は入力画像データからフレーム平均輝度Ａ３を検出する。また、図６に示すように、シーン輝度検出部１０３はシーン平均輝度Ｂ２を検出する。シーン平均輝度がＢ２であるので、図２に示すように光量制御部１０４は光量制御値Ｃ２を決定する。すなわち、時刻ｔ５において、フレーム平均輝度はＡ３からＡ４に上昇するが、光量制御値は時刻ｔ４の時の光量制御値と同じく高い値Ｃ２となり光量を上げたままとし調光部１０６の駆動モーターを制御しない。
【００３５】
次の画像フレームが入力されると時刻ｔ６において、図５に示すように、フレーム輝度検出部１０２は入力画像データからフレーム平均輝度Ａ３を検出する。また、図６に示すように、シーン輝度検出部１０３はシーン平均輝度Ｂ２を検出する。シーン平均輝度がＢ２であるので、図２に示すように光量制御部１０４は光量制御値Ｃ２を決定する。すなわち、時刻ｔ６において、フレーム平均輝度はＡ４からＡ３に下降するが、光量制御値は時刻ｔ４の時の光量制御値と同じく高い値Ｃ２となり光量を上げたままとし調光部１０６の駆動モーターを制御しない。
【００３６】
光量制御値の推移を図７に示す。図７において、横軸は時刻、縦軸は光量制御部１０４が決定した光量制御値を示す。暗いシーンである時刻ｔ０から時刻ｔ３までの期間は、図５に示す入力画像データの輝度はＡ１からＡ２の間の低い値でフレーム毎に変化している。一方、時刻ｔ０から時刻ｔ３までの期間の光量制御値は、図７に示すようにＣ１で一定である。明るいシーンである時刻ｔ４から時刻ｔ８までの期間は、図５に示す入力画像データの輝度はＡ３からＡ４の間の高い値でフレーム毎に変化している。一方、時刻ｔ４から時刻ｔ８までの期間の光量制御値は、図７に示すようにＣ２で一定である。すなわち、光量制御値の変化は、フレーム平均輝度の変化よりも少ない。そのため、入力画像データに応じて光量を調光する際に、駆動モーターの駆動回数を抑えることができる。さらに、図５の時刻ｔ４において、フレーム平均輝度が大きく変化し暗いシーンから明るいシーンへ変化するが、図７においてシーンチェンジのタイミングに応じて（時刻ｔ４において）光量制御値が大きく変動する。そのため、シーンチェンジの際に速く光量制御値が制御されるので、シーンチェンジの際の表示画像の違和感を軽減することができる。
【００３７】
なお、入力画像信号にシーン輝度情報が付随しない場合は、入力画像信号のシーンの切替りを検出し、シーンを検出した後のフレーム画像から検出するフレーム平均輝度をシーン平均輝度として使用するようにしても良い。
【実施例２】
【００３８】
以下、本実施形態における画像処理装置の光量制御の別の動作例を説明する。動作の一例として、画像信号入力部１０１に入力される画像データのフレーム平均輝度の時間変化を図５、画像信号入力部１０１に入力される輝度情報のシーン平均輝度の時間変化を図６に示す。時刻ｔ０から時刻ｔ３までの期間は、暗いシーンであり、時刻ｔ４以降の期間は明るいシーンであるとする。
【００３９】
時刻ｔ０において、図５に示すように、フレーム輝度検出部１０２は入力画像データからフレーム平均輝度Ａ１を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、暗いシーンである時刻ｔ０において、光量制御値は低い値Ｃ１となり光量を下げるように制御する。
【００４０】
次の画像フレームが入力されると時刻ｔ１において、図５に示すように、フレーム輝度検出部１０２は入力画像データからフレーム平均輝度Ａ２を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、時刻ｔ１において、フレーム平均輝度はＡ１からＡ２に上昇するが、光量制御値は時刻ｔ０の時の光量制御値と同じく低い値Ｃ１となり光量を下げたままとし調光部１０６の駆動モーターを制御しない。また、光量制御部１０４は、フレーム平均輝度とシーン平均輝度の差分を補償するように光源部１０５の光量を調整する。時刻ｔ１では、フレーム平均輝度Ａ２がシーン平均輝度Ｂ１よりも高いため光源部１０５の光量を上げるように制御する。図８に、光源部１０５の光量を示す。図８において、時刻ｔ０において光量Ｅ１であるが、時刻ｔ１において光量Ｅ２に上昇する。
【００４１】
次の画像フレームが入力されると時刻ｔ２において、図５に示すように、フレーム輝度検出部１０２は入力画像データからフレーム平均輝度Ａ１を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、時刻ｔ２において、フレーム平均輝度はＡ２からＡ１に下降するが、光量制御値は時刻ｔ０の時の光量制御値と同じく低い値Ｃ１となり光量を下げたままとし調光部１０６の駆動モーターを制御しない。また、光量制御部１０４は、フレーム平均輝度とシーン平均輝度の差分を補償するように光源部１０５の光量を調整する。時刻ｔ２では、フレーム平均輝度Ａ１とシーン平均輝度Ｂ１が等しいため光源部１０５の光量を元に戻すように制御する。図８において、時刻ｔ１において光量Ｅ２であるが、時刻ｔ２において光量Ｅ１となる。
【００４２】
次の画像フレームが入力されると時刻ｔ３において、図５に示すように、フレーム輝度検出部１０２は入力画像データからフレーム平均輝度Ａ２を検出する。また、図６に示すように、シーン輝度検出部１０３はシーン平均輝度Ｂ１を検出する。シーン平均輝度がＢ１であるので、図２に示すように光量制御部１０４は光量制御値Ｃ１を決定する。すなわち、時刻ｔ３において、フレーム平均輝度はＡ１からＡ２に上昇するが、光量制御値は時刻ｔ０の時の光量制御値と同じく低い値Ｃ１となり光量を下げたままとし調光部１０６の駆動モーターを制御しない。また、光量制御部１０４は、フレーム平均輝度とシーン平均輝度の差分を補償するように光源部１０５の光量を調整する。時刻ｔ３では、フレーム平均輝度Ａ２がシーン平均輝度Ｂ１よりも高いため光源部１０５の光量を上げるように制御する。図８において、時刻ｔ２において光量Ｅ１であるが、時刻ｔ３において光量Ｅ２に上昇する。
【００４３】
次の画像フレームが入力されると時刻ｔ４において、図５に示すように、フレーム輝度検出部１０２は入力画像データからフレーム平均輝度Ａ３を検出する。また、図６に示すように、シーン輝度検出部１０３はシーン平均輝度Ｂ２を検出する。シーン平均輝度がＢ２であるので、図２に示すように光量制御部１０４は光量制御値Ｃ２を決定する。すなわち、時刻ｔ４において入力画像は暗いシーンから明るいシーンに変化しフレーム平均輝度はＡ２からＡ３に上昇する。そのため、光量制御値は高い値Ｃ２に変化し光量を上げるように調光部１０６の駆動モーターを制御する。
【００４４】
次の画像フレームが入力されると時刻ｔ５において、図５に示すように、フレーム輝度検出部１０２は入力画像データからフレーム平均輝度Ａ３を検出する。また、図６に示すように、シーン輝度検出部１０３はシーン平均輝度Ｂ２を検出する。シーン平均輝度がＢ２であるので、図２に示すように光量制御部１０４は光量制御値Ｃ２を決定する。すなわち、時刻ｔ５において、フレーム平均輝度はＡ３からＡ４に上昇するが、光量制御値は時刻ｔ４の時の光量制御値と同じく高い値Ｃ２となり光量を上げたままとし調光部１０６の駆動モーターを制御しない。また、光量制御部１０４は、フレーム平均輝度とシーン平均輝度の差分を補償するように光源部１０５の光量を調整する。時刻ｔ５では、フレーム平均輝度Ａ２がシーン平均輝度Ｂ１よりも高いため光源部１０５の光量を上げるように制御する。図８において、時刻ｔ２において光量Ｅ１であるが、時刻ｔ３において光量Ｅ２に上昇する。
【００４５】
暗いシーンである時刻ｔ０から時刻ｔ３までの期間は、図８に示すように調光部１０６で調光された後の光量は低い値でフレーム毎に変化している。一方、時刻ｔ０から時刻ｔ３までの期間の光量制御値は、図７に示すようにＣ１で一定である。明るいシーンである時刻ｔ４から時刻ｔ８までの期間は、図８に示すように調光部１０６で調光された後の光量は高い値でフレーム毎に変化している。一方、時刻ｔ４から時刻ｔ８までの期間の光量制御値は、図７に示すようにＣ２で一定である。すなわち、光量制御値の変化は、フレーム平均輝度の変化よりも少ない。そのため、入力画像データに応じて光量を調光する際に、駆動モーターの駆動回数を抑えることができる。さらに、図５の時刻ｔ４において、フレーム平均輝度が大きく変化しシーンチェンジが発生しているが、図７においてシーンチェンジのタイミングに応じて（時刻ｔ４において）光量制御値が大きく変動する。そのため、シーンチェンジの際に速く光量制御値が制御されるので、シーンチェンジの際の表示画像の違和感を軽減することができる。
【符号の説明】
【００４６】
１０１  画像信号入力部、１０２  フレーム輝度検出部、１０３  シーン輝度検出部、
１０４  光量制御部、１０５  光源部、１０６  調光部、１０７  補正量制御部、
１０８  画像信号補正部、１０９  表示パネル部、１１０  投射レンズ部
【図１】
2020197554.tif 000003
【図２】
2020197554.tif 000004
【図３】
2020197554.tif 000005
【図４】
2020197554.tif 000006
【図５】
2020197554.tif 000007
【図６】
2020197554.tif 000008
【図７】
2020197554.tif 000009
【図８】
2020197554.tif 000010